(57)【要約】      （修正有）【課題】経時的なワイヤロープの弛みの発生を防止することができるロープ材の端末構造を提供する。【解決手段】固定治具３は、テーパー状外周面を有するくさび部材１２と、くさび部材１２を圧入するソケット１１と、このソケット１１に設けられ、くさび部材１２を他端側から圧入する圧入受孔２２とを備え、くさび部材１２を圧入受孔２２に挿入することによりくさび部材１２と圧入受孔２２との間にワイヤロープ２の端部を圧着する。固定治具３は、一端側をソケット側雌螺子孔２３に螺合する連結部材１３を備え、この連結部材１３の一端側にソケット１１に圧接する圧接部３２を有する。連結部材１３の一端側の圧接部３２をくさび部材１２に圧接することにより、圧接部がくさび部材１２を一側に押すと共にくさび部材１２の他側への移動が規制される。【選択図】図１
0003170442.tif 000002
【実用新案登録請求の範囲】
【請求項１】
ロープ材と、このロープ材の端部に固定される固定治具と、この固定治具に一端が連結され他端が被連結部に連結される索端金具とを備え、
前記固定治具は、一端側が細いテーパー状外周面を有するくさび部材と、前記くさび部材を圧入するソケットと、このソケットの一端に設けられ前記ロープ材の端部を挿通する挿通孔と、この挿通孔と連通して前記ソケットに設けられ前記くさび部材を圧入する圧入受孔とを備え、
前記くさび部材を前記圧入受孔に挿入することにより前記くさび部材と前記圧入受孔との間に前記ロープ材の端部を圧着して前記固定治具に固定するロープ材の端末構造において、
前記ロープ材の端部を分割して分割端部を形成し、前記くさび部材の外周面に前記分割端部を挿入する溝を複数設け、前記溝に前記分割端部を挿入した状態で前記くさび部材を前記ソケットに圧入し、
前記ソケットには、前記圧入受孔の他端側にソケット側雌螺子孔を設け、前記固定治具は、一端側を前記ソケット側雌螺子孔に螺合する連結部材を備え、
前記連結部材の他端に前記索端金具を連結すると共に、前記連結部材の一端側に前記くさび部材に圧接する圧接部を設けたことを特徴とするロープ材の端末構造。
【請求項２】
前記連結部材の他端に雌螺子孔を設け、この雌螺子孔に螺合する雄螺子部を前記索端金具に設けたことを特徴とする請求項１記載のロープ材の端末構造。
【請求項３】
前記連結部材の一端面に突起状の前記圧接部を設け、この圧接部の先端に前記くさび部材の他端面に圧接する先端圧接面を設け、前記分割端部の末端を前記くさび部材の他端面より他側に配置し、前記先端圧接面は前記くさび部材の他端面より面積が小さいことを特徴とする請求項２記載のロープ材の端末構造。
【請求項４】
前記複数の溝の中央に前記先端圧接面を圧接したことを特徴とする請求項３記載のロープ材の端末構造。
【請求項５】
前記連結部材の外周に、平坦面を有する工具係合部を設けたことを特徴とする請求項４記載のロープ材の端末構造。
【考案の詳細な説明】
【技術分野】
【０００１】
本考案は、ワイヤロープと索端金具とを連結するロープ材の端末構造に関する。
【背景技術】
【０００２】
従来、ワイヤロープの端末構造として、内周面をテーパー状とする筒状ソケットの内径側開口からロープ端末部を挿入すると共に、該端末部に前記筒状側開口からくさび状のストッパを打ち込んでなるワイヤーロープの端末構造（例えば特許文献１）やロープ材の端末固定具（特許文献２）などがあり、前記端末構造では、ロープ端末部にくさび部材であるストッパを打ち込むことによりロープ端末部外周が拡開して筒状ソケット内周に圧接し、ロープ端末部が筒状ソケット内に強固に固定される。
【０００３】
そして、ワイヤーロープを用いる落石等防護柵（例えば特許文献３）や道路用ガードロープ（例えば特許文献４）では、前記筒状ソケットの筒状開口に雌螺子筒を連結し、この雌螺子筒に端末ボルトの一端を螺合し、その端末ボルトの他端を支柱に連結する索端金具（例えば特許文献５及び特許文献６）が知られている。
【先行技術文献】
【特許文献】
【０００４】
【特許文献１】実開平４−３３６９３号公報
【特許文献２】特開平７−１１９７９８号公報
【特許文献３】特開２００５−２１３７４７号公報
【特許文献４】特開平８−３３３７３１号公報
【特許文献５】特開平１０−１６８８２４号公報
【特許文献６】特開平５−１７９６２３号公報
【考案の開示】
【考案が解決しようとする課題】
【０００５】
上記の落石等防護や道路用ガードロープに用いる索端金具においては、ストッパーのくさび作用によりワイヤロープを連結しているが、直射日光の熱によりワイヤロープが伸びたり、積雪地域では雪の沈降力でワイヤロープが弛んだりする虞がある。そして、上記索端金具の施工時には、ワイヤロープに初期張力として５ｋＮ程度の緊張力を付与するが、経年後には上述した直射日光や雪の沈降力などの影響により初期の張力を確保することができない場合がある。
【０００６】
そこで、本考案は、上記問題点を解決するものであり、経時的なワイヤロープの弛みの発生を防止することができるロープ材の端末構造を提供することを目的とする。
【課題を解決するための手段】
【０００７】
請求項１の考案は、ロープ材と、このロープ材の端部に固定される固定治具と、この固定治具に一端が連結され他端が被連結部に連結される索端金具とを備え、前記固定治具は、一端側が細いテーパー状外周面を有するくさび部材と、前記くさび部材を圧入するソケットと、このソケットの一端に設けられ前記ロープ材の端部を挿通する挿通孔と、この挿通孔と連通して前記ソケットに設けられ前記くさび部材を圧入する圧入受孔とを備え、
前記くさび部材を前記圧入受孔に挿入することにより前記くさび部材と前記圧入受孔との間に前記ロープ材の端部を圧着して前記固定治具に固定するロープ材の端末構造において、前記ロープ材の端部を分割して分割端部を形成し、前記くさび部材の外周面に前記分割端部を挿入する溝を複数設け、前記溝に前記分割端部を挿入した状態で前記くさび部材を前記ソケットに圧入し、前記ソケットには、前記圧入受孔の他端側にソケット側雌螺子孔を設け、前記固定治具は、一端側を前記ソケット側雌螺子孔に螺合する連結部材を備え、
前記連結部材の他端に前記索端金具を連結すると共に、前記連結部材の一端側に前記くさび部材に圧接する圧接部を設けたことを特徴とする。
【０００８】
請求項２の考案は、前記連結部材の他端に雌螺子孔を設け、この雌螺子孔に螺合する雄螺子部を前記索端金具に設けたことを特徴とする。
【０００９】
請求項３の考案は、前記連結部材の一端面に突起状の前記圧接部を設け、この圧接部の先端に前記くさび部材の他端面に圧接する先端圧接面を設け、前記分割端部の末端を前記くさび部材の他端面より他側に配置し、前記先端圧接面は前記くさび部材の他端面より面積が小さいことを特徴とする。
【００１０】
請求項４の考案は、前記複数の溝の中央に前記先端圧接面を圧接したことを特徴とする。
【００１１】
請求項５の考案は、前記連結部材の外周に、平坦面を有する工具係合部を設けたことを特徴とする。
【考案の効果】
【００１２】
請求項１の考案によれば、くさび部材をソケットの圧入受孔に圧入し、くさび部材と圧入受孔との間にロープ材の端部を圧着することにより、固定治具にロープ材を固定し、この状態でソケットの他端側に連結部材を螺合し、連結部材の一端側の圧接部をくさび部材に圧接することにより、圧接部がくさび部材を一側に押すと共にくさび部材の他側への移動が規制され、ワイヤロープの弛みの発生を防止することができる。
【００１３】
請求項２の考案によれば、連結部材の他端の雌螺子孔に、雄螺子部を螺合することにより、固定治具に索端金具を連結することができる。
【００１４】
請求項３の考案によれば、ソケット側雌螺子孔に連結部材を螺合することにより、先端圧接面がくさび部材の他側面に圧接し、これにより圧接部がくさび部材を一側に押すと共にくさび部材の他側への移動を規制することができ、先端圧接面がくさび部材の他側面より面積が小さいため、分割端部の末端をくさび部材の他端面位置より他側に配置することができ、これによりロープ材の端部を固定治具に強固に固定することができる。
【００１５】
請求項４の考案によれば、複数の溝の中央に先端圧接面が圧接することにより、先端圧接面によりくさび部材を均等に押し付け、また、分割端部の末端をくさび部材の他端面より他側に配置した状態でロープ材の端部を固定治具に固定することができる。
【００１６】
請求項５の考案によれば、工具係合部を用いて連結部材を回し、螺合作業を行うことができる。
【図面の簡単な説明】
【００１７】
【図１】本考案の実施例１を示す要部の断面図である。
【図２】同上、ソケットを示し、図２（Ａ）は断面図、図２（Ｂ）は正面図である。
【図３】同上、くさび部材を示し、図３（Ａ）は側面図、図３（Ｂ）は正面図である。
【図４】同上、中間部材を示し、図４（Ａ）は背面図、図４（Ｂ）は側面図、図４（Ｃ）は正面図である。
【図５】同上、全体平面図である。
【考案を実施するための形態】
【００１８】
本考案における好適な実施の形態について、添付図面を参照しながら詳細に説明する。なお、以下に説明する実施の形態は、実用新案登録請求の範囲に記載された本考案の内容を限定するものではない。また、以下に説明される構成の全てが、本考案の必須要件であるとは限らない。各実施例では、従来とは異なる新規なロープ材の端末構造を採用することにより、従来にないロープ材の端末構造が得られ、そのロープ材の端末構造について記述する。
【実施例１】
【００１９】
以下、本考案の実施例を添付図面を参照して説明する。図１〜図５は本考案の実施例１を示し、同図に示すように、本実施例のロープ材の端末構造１は、ロープ材たるワイヤロープ２と、このワイヤロープ２の端部に固定される固定治具３と、この固定治具３に一端が連結され他端が被連結部たる支柱４に連結される索端金具５とを備える。前記支柱４としては、落石等防護柵やガードロープなどの端末支柱が例示される。尚、ワイヤロープ２は鋼線を撚った撚り線ワイヤである。
【００２０】
前記固定治具３は、ソケット11と、このソケット11に圧入するくさび部材12と、前記ソケット11の他端に一端を連結する連結部材13とを備え、前記ソケット12と連結部材13は鋼鉄などからなり、前記くさび部材12は前記鋼鉄より硬度の低いアルミニウム合金などからなる。
【００２１】
前記ソケット11は先端である一端に挿通孔21を有すると共に、この連通孔21に連通して前記くさび部材12を圧入するテーパー状の圧入受孔22を有し、この圧入受孔22は一端側（図中では右側）に向かって細くなるように形成され、さらに、前記圧入受孔22の他端側にソケット側雌螺子孔23が形成されている。また、ソケット11の一端側の外周には、対向する位置に平行な平坦面24，24が形成されており、これら平坦面24，24が工具係合部となり、平坦面24，24に工具を係合してソケット11を回したり、回り止めすることができる。
【００２２】
前記くさび部材12は、前記圧入受孔22に対応して、一端側が細くなるテーパー状外周面を有し、その外周面には３箇所の溝26，26，26が円周方向等間隔に配置され、この溝26はくさび部材12の中心軸方向に対して僅かに斜設した交差方向に配置されてくさび部材12の全長に渡って形成されており、ワイヤロープ２の端部を３つの分割端部２Ｓ，２Ｓ，２Ｓにばらして分割し、各溝26，26，26に各分割端部２Ｓ，２Ｓ，２Ｓの断面の一部を配置し、図１に示すように、分割端部２Ｓの末端２Ｔは、前記くさび部材12の他端面12Ｔより他端側に配置されている。
【００２３】
前記連結部材13は、略円筒形をなし、一端に前記ソケット側雌螺子孔23に螺合する雄螺子部31を有し、この雄螺子部31の一端側に一端面13Ｓを備え、この一端面13Ｓの中心から一端側に向かって略円柱形状の圧接部32を突設し、この圧接部32は、前記雄螺子部31より小径であって、前記くさび部材12の他端面12Ｔの中心に圧接する先端圧接面33が設けられている。尚、他端面12Ｔの中心は、前記複数の溝26，26，26の中心である。また、先端圧接面33の面積は前記他端面12Ｔより小さい。
【００２４】
さらに、前記連結部材13の他端側には雌螺子孔34を形成し、この雌螺子孔34位置の外周には、対向する位置に平行な平坦面35，35が形成されており、これら平坦面35，35が工具係合部となり、平坦面35，35に工具を係合して連結部材13を回したり、回り止めすることができる。尚、連結部材13の他端には、平坦面35，35は形成されていない部分が設けられている。
【００２５】
前記索端金具５は、断面円形の鋼棒などからなり、一端に雄螺子部41を有し、この雄螺子部41を前記連結部材13の前記雌螺子孔34に螺合することにより前記連結部材13に連結される。また、雄螺子部41側の外周には、対向する位置に平行な平坦面42，42が形成されており、これら平坦面42，42が工具係合部となり、平坦面42，42に工具を係合して索端金具５を回したり、回り止めすることができる。さらに、索端金具５は、他端に雄螺子部43を有し、図５に示すように、前記雄螺子部43側を前記支柱４に挿通し、挿通した他端の雄螺子部43に固定手段たるナット44，44を螺合することにより、索端金具５を支柱４に連結することができる。
【００２６】
次に、前記端末構造１の施工方法について説明する。ワイヤロープ２の端部を挿通孔21に挿通し、その端部を３本の分割端部２Ｓにばらし、その分割端部２Ｓの末端２Ｔが、前記くさび部材12の他端面12Ｔより他端側に突出するようにして溝26に分割端部２Ｓを配置し、この状態でソケット11の圧入受孔22にくさび部材12を挿入し、くさび部材12の他端面12Ｔをハンマーなどにより打撃し、さらに、油圧ジャッキ（ずしせず）により、くさび部材12を圧入する。尚、油圧ジャッキによる圧入荷重は70ｋＮ程度が例示される。
【００２７】
このようにしてソケット11にくさび部材12を圧入した状態で、ソケット側雌螺子孔23に連結部材13の雄螺子部31を螺合し、先端圧接面33をくさび部材12の他端面12Ｔに圧接する。これにより、くさび部材12を一端側に押し付け、くさび部材12の他側への移動を規制することができる。この場合、分割端部２Ｓの末端２Ｔが、くさび部材12の他端面12Ｔより他端側に突出するように溝26に分割端部２Ｓを配置したから、分割端部２Ｓを強固に固定することができ、また、先端圧接面33はソケット11の他側面11Ｔより面積が小さいため、ソケット11の位置から他側に突出した分割端部２Ｓの端部２Ｔが邪魔にならず、くさび部材12を圧接部32により確実に押し付けることができる。
【００２８】
このように本実施例では、請求項１に対応して、ロープ材たるワイヤロープ２と、このワイヤロープ２の端部に固定される固定治具３と、この固定治具３に一端が連結され他端が被連結部たる支柱４に連結される索端金具５とを備え、固定治具３は、一端側が細いテーパー状外周面を有するくさび部材12と、くさび部材12を圧入するソケット11と、このソケット11の一端に設けられワイヤロープ２の端部を挿通する挿通孔21と、この挿通孔21と連通してソケット11に設けられ、くさび部材12を他端側から圧入する圧入受孔22とを備え、くさび部材12を圧入受孔22に挿入することによりくさび部材12と圧入受孔22との間にワイヤロープ２の端部を圧着して固定治具３に固定するロープ材の端末構造において、ワイヤロープ２の端部を分割して分割端部２Ｓを形成し、くさび部材12の外周面に分割端部２Ｓを挿入する溝26を複数設け、溝26に分割端部２Ｓを挿入した状態でくさび部材12をソケット11に圧入し、ソケット11には、圧入受孔22の他端側にソケット側雌螺子孔23を設け、固定治具３は、一端側をソケット側雌螺子孔23に螺合する連結部材13を備え、連結部材13の他端に索端金具５を連結すると共に、連結部材13の一端側にくさび部材12に圧接する圧接部32を設けたから、くさび部材12をソケット11の圧入受孔22に圧入し、くさび部材12と圧入受孔22との間にワイヤロープ２の端部を圧着することにより、固定治具３にワイヤロープ２を固定し、この状態でソケット11の他端側に連結部材13を螺合し、連結部材13の一端側の圧接部32をくさび部材12に圧接することにより、圧接部32がくさび部材12を一側に押すと共にくさび部材12の他側への移動が規制され、ワイヤロープ２の弛みの発生を防止することができる。
【００２９】
また、このように本実施例では、請求項２に対応して、連結部材13の他端に雌螺子孔34を設け、この雌螺子孔34に螺合する雄螺子部41を索端金具５に設けたから、連結部材13の他端の雌螺子孔34に、雄螺子部41を螺合することにより、固定治具３に索端金具５を連結することができる。
【００３０】
また、このように本実施例では、請求項３に対応して、連結部材13の一端面13Ｓに突起状の圧接部32を設け、この圧接部32の先端にくさび部材12の他端面12Ｔに圧接する先端圧接面33を設け、分割端部２Ｓの末端２Ｔをくさび部材12の他端面12Ｔより他側に配置し、先端圧接面33はくさび部材12の他端面12Ｔより面積が小さいから、ソケット側雌螺子孔23に連結部材13を螺合することにより、先端圧接面33がくさび部材12の他側面12Ｓに圧接し、これにより圧接部32がくさび部材12を一側に押すと共にくさび部材12の他側への移動を規制することができ、先端圧接面33がくさび部材12の他側面12Ｔより面積が小さいため、分割端部２Ｓの末端２Ｔをくさび部材12の他端面12Ｔ位置より他側に配置することができ、これによりワイヤロープ２の端部を固定治具３に強固に固定することができる。
【００３１】
また、このように本実施例では、請求項４に対応して、複数の溝26，26，26の中央に先端圧接面33を圧接したから、先端圧接面33によりくさび部材12を均等に押し付け、また、分割端部２Ｓの末端２Ｔをくさび部材12の他端面12Ｔより他側に配置した状態でワイヤロープ２の端部を固定治具３に固定することができる。
【００３２】
また、このように本実施例では、請求項５に対応して、連結部材13の外周に、平坦面35，35を有する工具係合部を設けたから、平坦面35，35を用いて連結部材13を回し、螺合作業を行うことができる。
【００３３】
また、実施例上の効果として、溝26はくさび部材12の軸方向に対して交差方向に配置されているから、ワイヤロープ２に加わる引張力に対して固定強度を向上することができる。
【００３４】
尚、本考案は、本実施例に限定されるものではなく、本考案の要旨の範囲内で種々の変形実施が可能である。
【符号の説明】
【００３５】
１  端末構造
２  ワイヤロープ（ロープ材）
２Ｓ  分割端部
２Ｔ  末端
３  固定治具
４  支柱（被連結部）
５  索端金具
11  ソケット
12  くさび部材
12Ｔ  他端面
13  連結部材
13Ｓ  一端面
21  挿通孔
22  圧入受孔
23  ソケット側雌螺子孔
26  溝
32  圧接部
33  先端圧接面
34  雌螺子孔
35  平坦面（工具係合部）
41  雄螺子部
【図１】
0003170442.tif 000003
【図２】
0003170442.tif 000004
【図３】
0003170442.tif 000005
【図４】
0003170442.tif 000006
【図５】
0003170442.tif 000007